(57)【要約】【課題】窓の採光面積の減少および気密性能、防音効果が大幅に低下するのを防止できる窓取付形換気装置を提供することを目的とする。【解決手段】サッシ枠１と窓サッシ２間に配設される幅狭の形状で通風口３が開口された扁平筒状部６と、扁平筒状部６に連設される拡大部とによりなる窓取付用通風体８と、窓取付用通風体に連通する送風手段９を設け、窓サッシ１の合わせ框部１０間の隙間にパッキン材１５を設けることにより、窓の採光面積の減少および気密性能、防音効果が低下するのを防止できる窓取付形換気装置が得られる。【選択図】  図１
2004169997.tif 000002
【特許請求の範囲】
【請求項１】
サッシ枠と窓サッシ間に配設される幅挟の形状で一端に通風口が開口された扁平筒状部と、この扁平筒状部に幅広に拡大しながら連設される拡大部とによりなる窓取付用通風体と、この窓取付用通風体が配設されない部分のサッシ枠と窓サッシ間の空間を遮蔽するスペーサと、前記窓サッシの合わせ框部間の隙間を閉鎖するように設けられるパッキン材とを備え、前記窓取付用通風体に送風装置を設けた窓取付形換気装置。
【請求項２】
窓取付用通風体の扁平筒状部の左右の幅を窓サッシの合わせ框部の幅より小さく形成した請求項１記載の窓取付形換気装置。
【請求項３】
窓取付用通風体の扁平筒状部の左右にサッシ枠と係合する枠側リブと窓サッシに係合する窓側リブを設けた請求項１または２記載の窓取付形換気装置。
【請求項４】
スペーサの左右にサッシ枠を係合する枠側突部と窓サッシに係合する窓側突部を設けた請求項１記載の窓取付形換気装置。
【請求項５】
窓取付用通風体の扁平筒状部の内部に補強用部材を設けた請求項１または２記載の窓取付形換気装置。
【請求項６】
サッシ枠と窓サッシ間に配設される幅挟の形状で一端に通風口が開口された扁平筒状部と、この扁平筒状部に幅広に拡大しながら連設される拡大部とによりなる窓取付用通風体と、この窓取付用通風体が配設されない部分のサッシ枠と窓サッシ間の空間を遮蔽するスペーサと、前記窓サッシの合わせ框部間の隙間を閉鎖するように設けられるパッキン材と、前記窓取付用通風体の拡大部に設けられるエルボ管と、このエルボ管にフレキシブルチューブを介して設けられる送風手段とを備えた窓取付形換気装置。
【請求項７】
給気用の窓取付用通風体と排気用の窓取付用通風体に区別して設け、送風手段を給気用送風機と排気用送風機により形成し、前記給気用の窓取付用通風体および排気用の窓取付用通風体と、給気用送風機および排気用送風機のそれぞれをフレキシブルチューブで連結した請求項６記載の窓取付形換気装置。
【請求項８】
給気用送風機の上流側に中性能以上のフィルターとＮＯＸフィルターを設けた請求項７記載の窓取付形換気装置。
【請求項９】
送風手段に給気用送風機の給気流と排気用送風機の排気流との間で熱交換を行う熱交換素子を設けた請求項７または８記載の窓取付形換気装置。
【請求項１０】
外側の窓サッシの合わせ框部に設けられる既存の窓サッシ止め具を前後より挟む前板と、内側の窓サッシに設けた掛具が係合する係合部を設けた後板とにより形成される追加の窓サッシ止め具を備え、前記前板に対し後板を左右に移動自在で係止可能とした請求項１、６または７記載の窓取付形換気装置。
【発明の詳細な説明】
【０００１】
【発明の属する技術分野】
本発明は、窓を利用し室内空気を排気したり、室外空気を同時に給気する窓取付形換気装置に関する。
【０００２】
【従来の技術】
近年、都市部における集合住宅のうち大半が賃貸住宅で、賃貸住宅の物件を調査すると壁面に設けられた換気用の孔は、主としてレンジ用、トイレ用、浴室用等に限定されるもので賃貸住宅ではその性格上壁面に換気用の孔を設けるのは不可能で、壁面に新たに換気装置を設置するのは困難であるため、壁面に換気用の孔を設けなくても良いように窓を利用する窓用換気扇が開発されていた。
【０００３】
従来、この種の窓用換気扇は、窓部分に換気扇本体を直接取り付けていた（例えば特許文献１参照）。
【０００４】
【特許文献１】
特許第２８１６０７２号公報（［００１４］図２、図３）
【０００５】
【発明が解決しようとする課題】
このような従来の窓用換気扇の構成では、従来のために設けられている窓の採光面積が減少するという課題があった。
【０００６】
また、幅の広い換気扇本体がサッシ枠と窓サッシ間に配設されることにより、引き違いとなる２枚の窓サッシの合わせ框の位置が大きくずれることとなり、合わせ框同志が対向することがなくなり合わせ框とガラス板間に形成される隙間を通り空気が流通し、気密性能が大幅に低下するとともに、防音効果も低下するという課題があった。
【０００７】
また、窓の戸締りが不十分となり防犯上の問題が発生するという課題があった。
【０００８】
また、窓にカーテンを設けている場合には、カーテンを締めてしまうと換気が機能しなくなるという課題があった。
【０００９】
本発明は、上記課題を解決するもので、窓の採光面積の大幅な減少および、気密性能、防音効果が大幅に低下するのを防止できる窓取付形換気装置を提供することを目的とする。
【００１０】
【課題を解決するための手段】
前記従来の課題を解決するために、本発明の窓取付形換気装置は、サッシ枠と窓サッシ間に配設される幅挟の形状で一端に通風口が開口された扁平筒状部と、この扁平筒状部に幅広に拡大しながら連設される拡大部とによりなる窓取付用通風体と、この窓取付用通風体が配設されない部分のサッシ枠と窓サッシ間の空間を遮蔽するスペーサと、前記窓サッシの合わせ框部間の隙間を閉鎖するように設けられるパッキン材とを備え、前記窓取付用通風体に送風装置を設けたことを特徴としたものである。
【００１１】
また、本発明の窓取付形換気装置は、窓取付用通風体の扁平筒状部の左右の幅を窓サッシの合わせ框部の幅より小さく形成したことを特徴としたものである。
【００１２】
また、本発明の窓取付形換気装置は、窓取付用通風体の扁平筒状部の左右にサッシ枠と係合する枠側リブと窓サッシに係合する窓側リブを設けたことを特徴としたものである。
【００１３】
また、本発明の窓取付形換気装置は、スペーサの左右にサッシ枠を係合する枠側突部と窓サッシに係合する窓側突部を設けたことを特徴としたものである。
【００１４】
また、本発明の窓取付形換気装置は、窓取付用通風体の扁平筒状部の内部に補強用部材を設けたことを特徴としたものである。
【００１５】
また、本発明の窓取付形換気装置は、サッシ枠と窓サッシ間に配設される幅挟の形状で一端に通風口が開口された扁平筒状部と、この扁平筒状部に幅広に拡大しながら連設される拡大部とによりなる窓取付用通風体と、この窓取付用通風体が配設されない部分のサッシ枠と窓サッシ間の空間を遮蔽するスペーサと、前記窓サッシの合わせ框部間の隙間を閉鎖するように設けられるパッキン材と、前記窓取付用通風体の拡大部に設けられるエルボ管と、このエルボ管にフレキシブルチューブを介して設けられる送風手段とを備えたことを特徴としたものである。
【００１６】
また、本発明の窓取付形換気装置は、給気用の窓取付用通風体と排気用の窓取付用通風体に区別して設け、送風手段を給気用送風機と排気用送風機により形成し、前記給気用の窓取付用通風体および排気用の窓取付用通風体と、給気用送風機および排気用送風機のそれぞれをフレキシブルチューブで連結したことを特徴としたものである。
【００１７】
また、本発明の窓取付形換気装置は、給気用送風機の上流側に中性能以上のフィルターとＮＯＸフィルターを設けたことを特徴としたものである。
【００１８】
また、本発明の窓取付形換気装置は、送風手段に給気用送風機の給気流と排気用送風機の排気流との間で熱交換を行う熱交換素子を設けたことを特徴としたものである。
【００１９】
また、本発明の窓取付形換気装置は、外側の窓サッシの合わせ框部に設けられる既存の窓サッシ止め具を前後より挟む前板と、内側の窓サッシに設けた掛具が係合する係合部を設けた後板とにより形成される追加の窓サッシ止め具を備え、前記前板に対し後板を左右に移動自在で係止可能としたことを特徴としたものである。
【００２０】
【発明の実施の形態】
本発明の請求項１に記載の発明は、サッシ枠と窓サッシ間に配設される幅挟の形状で一端に通風口が開口された扁平筒状部と、この扁平筒状部に幅広に拡大しながら連設される拡大部とによりなる窓取付用通風体と、この窓取付用通風体が配設されない部分のサッシ枠と窓サッシ間の空間を遮へいするスペーサと、前記窓サッシの合わせ框部間の隙間を閉鎖するように設けられるパッキン材とを備え、前記窓取付用通風体に送風手段を設けたものであり、窓部分には窓取付用通風体の幅挟の扁平筒状部が配設されるので窓の採光面積の大幅に減少するのが防止されるとともに、窓サッシの合わせ框部間の隙間に設けられるパッキン材により気密性能および防音効果が大幅に低下するのを防止できるという作用を有する。
【００２１】
以下、本発明の実施の形態について図１〜図１１を参照しながら説明する。
【００２２】
（実施の形態１）
図１〜図４に示すように、サッシ枠１と窓サッシ２間に配設される幅挟の形状で一端に通風口３を開口し、外壁の左右にサッシ枠１に係合する枠側リブ４と窓サッシ２に係合する窓側リブ５を設けた扁平筒状部６と、扁平筒状部６に幅広に拡大しながら連設される拡大部７とにより窓取付用通風体８を形成し、拡大部７には送風手段９を設け、扁平筒状部６の幅を窓サッシ２の合わせ框部１０の幅より小さい２０ｍｍ以下に形成する。
【００２３】
そして、窓取付用通風体８が配設されない部分のサッシ枠１と窓サッシ２間の空間を遮へいするようにサッシ枠１に係合する枠側突部１１と窓サッシ２に係合する窓側突部１２を設けパッキン１４を貼付けたスペーサ１４を形成し、２枚の窓サッシ２の対向する合わせ框部１０間の隙間を閉鎖するパッキン材１５を備え構成する。
【００２４】
上記構成において、窓取付形換気装置を窓に取り付けるときには、窓取付用通風体８に設けた枠側リブ４をサッシ枠１に係合し、サッシ枠１の上方部分に窓取付用通風体８を設け、窓取付用通風体８の下方に枠側突部１１をサッシ枠１に係合して設け窓サッシ２を閉鎖し窓サッシ２に、窓取付用通風体８の窓側リブ５を係合するとともに、スペーサ１４の窓側突部１２を係合して取り付ける。
【００２５】
また、パッキン材１５はあらかじめ２枚の窓サッシ２の一方側に合わせ框部１０に貼り付けておく、このことにより、パッキン材１５は２枚の窓サッシ２の合わせ框部１０間の隙間が閉鎖されることとなる。
【００２６】
そして、窓取付形換気装置を運転すると、送風手段９により室内の汚染された空気が窓取付用通風体２の拡大部７から扁平筒状部６を通り通風口３より室外に排気される。このとき、サッシ枠１と窓サッシ２間は枠側リブ４と窓側リブ５を設けた窓取付用通風体８と枠側突部１１と窓側突部１２を設けたスペーサ１４により密閉状態となっている。
【００２７】
また、引き違いされた２枚の窓サッシ２の合わせ框部１０間の隙間はパッキン材１４により閉鎖された状態となっている。
【００２８】
このように本発明の実施の形態１の窓取付形換気装置によれば、サッシ枠１と窓サッシ２間に配設される幅挟の形状で一端に通風口３が開口された扁平筒状部６と、扁平筒状部６に幅広に拡大しながら連設される拡大部７とにより窓取付用通風体８を形成し、窓取付用通風体８の配設されていない部分のサッシ枠１と窓サッシ２間の空間を遮へいするスペーサ１４と２枚の窓サッシ２の合わせ框部１０間の隙間を閉鎖するように設けられる貼付け可能なパッキン材１５とを備え、窓取付用通風体８の拡大部７に送風手段９を設けたので、窓部分には窓取付用通風体８の幅挟の扁平筒状部６が配設されることとなり、窓の採光面積が減少するのが少なくなる。
【００２９】
また、サッシ枠１と窓サッシ２間には窓取付用通風体８とスペーサ１４が介在することにより遮へいされ、さらに２枚の窓サッシ２の合わせ框部１０間に設けたパッキン材１５により合わせ框部１０間に形成される隙間が閉鎖され、室内と室外との隙間等による連通が遮断され、気密性能および防音効果が大幅に低下するのが防止できる。
【００３０】
また、カーテンを設けている場合においても、換気の機能がさまたげられることがない。
【００３１】
また、窓取付用通風体８の扁平筒状部６の左右の幅を窓サッシ２の合わせ框部１０の幅より小さく形成したので合わせ框部１０の一部が必ず対向することとなり、この対向部分にパッキン材１５を設けることによりパッキン材１５を有効に機能させることができる。
【００３２】
また、窓取付用通風体８の扁平筒状部６の左右にサッシ枠１と窓サッシ２に係合する枠側リブ４と窓側リブ５を設けたので窓取付用通風体８の変形が防止されるとともに、気密性能を確保することができる。
【００３３】
また、スペーサ１４の左右にサッシ枠１に係合する枠側突部１１と窓サッシ２側に係合する窓側突部１２を設けたので、スペーサ１４の取り付けが確実となり、気密性能を確保することができる。
【００３４】
なお、実施の形態１の窓取付形換気装置においては、窓取付用通風体８を窓の上部に設けたが下方または中間の何れの位置に設けても良いものであり、また、送風手段９を排気用として説明したが給気用としても良いことはいうまでもない。
【００３５】
（実施の形態２）
図５〜図８に示すように、床面に設けられる送風手段９Ａを給気用送風機１６と排気用送風機１７により形成し、給気用送風機１６の上流側に中性能以上のフィルター１８とＮＯＸフィルター１９を設け、給気用送風機１６の給気流と排気用送風機１７の排気流との間で熱交換を行う熱交換素子２０を設け、窓取付用通風体８Ａの扁平筒状部６Ａの内部にはほぼレール形状の補強用部材２１を複数設け、窓取付用通風体８Ａの拡大部７Ａに回動自在にエルボ管２２を設け、エルボ管２２の他端にフレキシブルチューブ２３を接続し、フレキシブルチューブ２３の他端を送風手段９Ａに接続する。
【００３６】
そして、同時に給排気を行う場合には、窓の上方部にパッキン８ａを介して設けられる窓取付用通風体８Ａを給気用とし、窓の下方部に設けられる排気用には窓取付用通風体８Ａと同一構造の窓取付用通風体８Ｂを別個に設け、窓取付用通風体８Ａに接続されたフレキシブルチューブ２３の他端を送風手段９Ａの室外側給気口２４に接続し、窓取付用通風体８Ｂに接続されたフレキシブルチューブ２３Ａの他端を送風手段９Ａの室外側排気口２５に接続し、送風手段９Ａには室内側に面して室内側排気口２６と室内側給気口２７が設けられ、窓取付用通風体８Ａと窓取付用通風体８Ｂとの間にはスペーサ１４Ａを設け構成する。
【００３７】
上記構成において、窓取付形換気装置を運転すると、送風手段９Ａの給気用送風機１６と排気用送風機１７が運転され、排気用送風機１７により室内空気が室内側排気口２６より吸気され、熱交換素子２０を通る間に室内空気の熱分が熱交換素子２０に蓄熱され、その後室内側排気口２５よりフレキシブルチューブ２３Ａを介して窓取付用通風体８Ｂに送られ室外に排気される。
【００３８】
一方、給気用送風機１６により、室外空気が窓取付用通風体８Ａより給気され、フレキシブルチューブ２３を通って室外側給気口２４より送風手段９Ａに給気され、送風手段９Ａ内に設けた中性能以上のフィルター１８とＮＯＸフィルター１９により、室外空気中に含まれている微細な粉塵や、ＮＯＸガスが除去され、浄化された空気が熱交換素子２０に送られ、熱交換素子２０に蓄熱された室内空気の熱分を回収し室内側給気口２７より室内に給気される。
【００３９】
このように本発明の実施の形態２の窓取付形換気装置によれば、窓取付用通風体８Ａの扁平筒状部６Ａの内部に補強用部材２１を複数設けたので、扁平筒状部６Ａの剛性が高まり、変形を防止することができる。
【００４０】
また、窓取付用通風体８Ａの拡大部７Ａに回動自在にエルボ管２２を設けエルボ管２２にフレキシブルチューブ２３を介して設けられる送風手段９Ａを備えたので、室内の家具やカーテン等の配置に関係なく、送風手段９Ａを設置でき、設置範囲が拡大し、設置が容易となり、有効に換気を行うことができる。
【００４１】
また、窓取付用通風体８Ａを給気用とし、別個に窓取付用通風体８Ｂを排気用に区別して設け、送風手段９Ａを給気用送風機１６と排気用送風機１７により形成し、給気用の窓取付用通風体８Ａと排気用の窓取付用通風体８Ｂと、給気用送風機１６および排気用送風機１７のそれぞれをフレキシブルチューブ２３、２３Ａで連結したので、給気と排気を同時に行うことができ、気密性の高い建物でも効果的に換気を行うことができる。
【００４２】
また、給気用送風機１６の上流側に中性能以上のフィルター１８とＮＯＸフィルター１９を設けたので、都市部の外気が自動車の排気ガス等で汚染されている場合においても、ディーゼル粉塵やＮＯＸガス等を除去したのち、室内に給気することにより、室内の環境が悪化されるのが防止でき、環境が良化されることにより喘息等の疾病を予防することができる。
【００４３】
また、送風手段９Ａに給気用送風機１６の給気流と排気用送風機１７の排気流との間で熱交換を行う熱交換素子２０を設けたので、熱交換素子２０により室内空気の熱エネルギーを給気空気に回収することができ、換気によるエネルギーロスを少なくすることができる。
【００４４】
なお、実施の形態２では送風手段９Ａを床面に設置したものを用いて説明したが、他の例として図９に示すように送風手段９Ｂを壁面２８に設けても良いことはいうまでもない。
【００４５】
（実施の形態３）
図１０および図１１に示すように、窓サッシのうち、外側に設けられる窓サッシ２Ａの合わせ框部１０Ａに、内側に設けられる窓サッシ２Ｂの合わせ框部１０Ｂに設けた施錠部となる回動して掛ける掛具２９が係合する係合部３０を設けた既存の窓サッシ止め具３１を前後において挟む前板３２と窓サッシ２Ｂに設けた既存の掛具２９が係合する係合部３０Ａを設けた後板３３とにより形成される追加の窓サッシ止め具３１Ａを備え、前板３２には横方向に一対の長溝３４を設け、後板３３には前板３２の長溝３４に摺動するねじ部３５を設け、ねじ部３５にワッシャ３６およびナット３７を螺合して後板３３を所定位置において係止できるように構成する。
【００４６】
上記構成において、サッシ枠１と窓サッシ２Ｂとの間に配設された窓取付用通風体８Ａと窓取付用通風体８Ｂおよびスペーサ１３Ａにより窓サッシ２Ｂの合わせ框部１０Ｂの位置が窓サッシ２Ａの合わせ框部１０Ａよりずれることとなるので、このような状態において施錠するときには、窓サッシ２Ａに設けた既存の窓サッシ止め具３１に設けられる追加の窓サッシ止め具３１Ａを前板３２に対し後板３３を横動して窓サッシ２Ｂに設けた掛具２９が追加の窓サッシ止め具３１Ａの係合部３０Ａに係合するように位置調整をする。
【００４７】
そして、追加の窓サッシ止め具３１Ａを位置調整して係止しておくことにより、窓サッシ２Ｂに設けた既存の掛具２９を回動して、掛具２９を追加の窓サッシ止め具３１Ａの係合部３０Ａに係合して施錠することができる。
【００４８】
このように本発明の実施の形態３の窓取付形換気装置によれば、外側の窓サッシ２Ａの合わせ框部１０Ａに設けられる既存の窓サッシ止め具３１を前後より挟む前板３２と、内側の窓サッシ２Ｂに設けた既存の掛具２９が係合する係合部３０Ａを設けた後板３３とにより形成される追加の窓サッシ止め具３１Ａを備え、前板３２に横方向に設けた長溝３４に摺動するねじ部３５を介して前板３２に対して後板３３を左右に移動自在でねじ部３５に螺合するナット３７により所定位置で係止可能としたので、窓取付形換気装置を設置していなかった今迄通り、窓を施錠することができ、防犯上の効果を今迄と同様にもたらすことができる。
【００４９】
【発明の効果】
以上の実施の形態から明らかなように、本発明によればサッシ枠と窓サッシ間に配設される幅挟の形状で一端に通気口が開口された扁平筒状部と、この扁平筒状部に幅広に拡大しながら連設される拡大部とによりなる窓取付用通風体と、この窓取付用通風体が配設されない部分のサッシ枠と窓サッシ間の空間を遮へいするスペーサと、前記窓サッシの合わせ框部間の隙間を閉鎖するように設けられるパッキン材とを備え、前記窓取付用通風体に送風装置を設けたので、窓の採光面積の大幅な減少および、気密性能、防音効果が大幅に低下するのを防止できる窓取付形換気装置を提供できる。
【００５０】
また、窓取付用通風体の扁平筒状部の左右の幅を窓サッシの合わせ框部の幅より小さく形成したので、合わせ框部に設けられるパッキン材の機能を有効に発揮することができる。
【００５１】
また、窓取付用通風体の扁平筒状部の左右にサッシ枠と係合する枠側リブと窓サッシに係合する窓側リブを設けたので、扁平筒状部の変形防止および気密性能を確保することができる。
【００５２】
また、スペーサの左右にサッシ枠と係合する枠側突部と窓サッシに係合する窓側突部を設けたので、スペーサの取り付けが確実となり、気密性能を確保することができる。
【００５３】
また、窓取付用通風体の扁平筒状部の内部に補強用部材を設けたので、扁平筒状部の剛性が高まり変形を防止することができる。
【００５４】
また、窓取付用通風体の拡大部に設けられるエルボ管と、このエルボ管にフレキシブルチューブを介して設けられる送風手段とを備えたので、送風手段を家具等の邪魔にならない位置に設けることができ、効果的に換気を行うことができる。
【００５５】
また、給気用の窓取付用通風体と排気用の窓取付用通風体に区別して設け、送風手段を給気用送風機と排気用送風機により形成し、前記給気用の窓取付用通風体および、排気用の窓取付用通風体と、給気用送風機および排気用送風機のそれぞれをフレキシブルチューブで連結したので、気密性能の高い建物でも効果的に換気を行うことができる。
【００５６】
また、給気用送風機の上流側に中性能以上のフィルターとＮＯＸフィルターを設けたので、外気中に含まれるディーゼル粉塵やＮＯＸガスが除去されて室内に給気されることとなり室内の環境の悪化するのが防止でき、喘息等の疾病を予防することができる。
【００５７】
また、送風手段に給気用送風機の給気流と排気用送風機の排気流との間で熱交換を行う熱交換素子を設けたので、換気によるエネルギーロスを少なくすることができる。
【００５８】
また、外側の窓サッシの合わせ框部に設けられる既存の窓サッシ止め具を前後より挟む前板と内側の窓サッシに設けた掛具が係合する係合部を設けた後板とにより形成される追加の窓サッシ止め具を備え、前記前板に対し後板を左右に移動自在で係止可能としたので、窓取付形換気装置を設置していなかった今迄通りに、窓を施錠することができ、防犯上の効果を今迄と同様にもたらすことができる。
【図面の簡単な説明】
【図１】本発明の実施の形態１の窓取付形換気装置の設置状態を示す断面図
【図２】同窓取付形換気装置のスペーサの斜視図
【図３】同窓取付形換気装置の窓取付用通風体と送風手段の斜視図
【図４】同窓取付形換気装置の設置状態を示す斜視図
【図５】本発明の実施の形態２の窓取付形換気装置の送風手段の断面図
【図６】同窓取付形換気装置の窓取付用通風体の斜視図
【図７】同窓取付形換気装置の設置状態を示す断面図
【図８】同窓取付形換気装置の設置状態を示す斜視図
【図９】同他の例の窓取付形換気装置の設置状態を示す斜視図
【図１０】本発明の実施の形態３の窓サッシ止め具の構成を示す斜視図
【図１１】同窓サッシ止め具を設けた窓取付形換気装置の設置状態を示す斜視図
【符号の説明】
１    サッシ枠
２    窓サッシ
２Ａ  窓サッシ
２Ｂ  窓サッシ
３    通風口
４    枠側リブ
５    窓側リブ
６    扁平筒状部
６Ａ  扁平筒状部
７    拡大部
７Ａ  拡大部
８    窓取付用通風体
８Ａ  窓取付用通風体
８Ｂ  窓取付用通風体
９    送風手段
９Ａ  送風手段
９Ｂ  送風手段
１０  合わせ框部
１０Ａ  合わせ框部
１１  枠側突部
１２  窓側突部
１４  スペーサ
１４Ａ  スペーサ
１５  パッキン材
１６  給気用送風機
１７  排気用送風機
１８  中性能フィルター
１９  ＮＯＸフィルター
２０  熱交換素子
２１  補強用部材
２２  エルボ管
２３  フレキシブルチューブ
２３Ａ  フレキシブルチューブ
２９  掛具
３０Ａ  係合部
３１  既存の窓サッシ止め具
３１Ａ  追加の窓サッシ止め具
３２  前板
３３  後板
【図１】
2004169997.tif 000003
【図２】
2004169997.tif 000004
【図３】
2004169997.tif 000005
【図４】
2004169997.tif 000006
【図５】
2004169997.tif 000007
【図６】
2004169997.tif 000008
【図７】
2004169997.tif 000009
【図８】
2004169997.tif 000010
【図９】
2004169997.tif 000011
【図１０】
2004169997.tif 000012
【図１１】
2004169997.tif 000013